(57)【要約】【課題】  収容されている洗濯物が洗濯槽自体の周壁、底部壁等に直接接触せず、それらの損傷を防止し、また互いに絡み付かないようにする。【解決手段】  網筒状のネット本体１と、該ネット本体１の長手方向に沿って筒内部を複数の洗濯物収納室５Ａ，５Ｂ…に区画して仕切るように配した網帯状の仕切ネット片２と、ネット本体１の両開口端縁部、仕切ネット片２の両端縁部それぞれの複数箇所に付設した浮き子３とを備える。ネット本体１は、洗濯機の洗濯槽Ｐの深さの略２倍程度の長さを有し、その開口径は洗濯槽Ｐの開口径に比しやや大きくし、浮き子３には、洗濯機の洗濯槽Ｐ開口縁に仮掛架する着脱自在な仮掛架用フック４を付設する。また、一つの洗濯物収納室５Ａの網目大きさは、他の洗濯物収納室５Ｂ…のそれよりも小さくしてある。【選択図】      図１
2005230396.tif 000002
【特許請求の範囲】
【請求項１】
網筒状のネット本体と、該ネット本体の筒内部を複数の洗濯物収納室に仕切って区画するようネット本体の筒状の長手方向に沿って配した網帯状の仕切ネット片と、ネット本体の両開口端縁部、仕切ネット片の両端縁部それぞれの複数箇所に付設された浮き子とを備えて成ることを特徴とする洗濯物損傷防止用ネット具。
【請求項２】
ネット本体は、洗濯機の洗濯槽の深さの略２倍程度の長さで、洗濯槽の開口径に比しやや大きい開口径を有する筒状に形成してある請求項１記載の洗濯物損傷防止用ネット具。
【請求項３】
洗濯物収納室の少なくとも一つは、他の洗濯物収納室を形成するネット本体の一部、仕切ネット片それぞれの網目大きさに比し小さい網目大きさを備えている請求項１または２記載の洗濯物損傷防止用ネット具。
【請求項４】
浮き子は、ネット本体、仕切ネット片それぞれに着脱自在に取り付けられている請求項１乃至３のいずれかに記載の洗濯物損傷防止用ネット具。
【請求項５】
浮き子には、洗濯機の洗濯槽の開口縁にネット本体を着脱自在に掛架させる仮掛架用フックが付設されている請求項１乃至４のいずれか記載の洗濯物損傷防止用ネット具。
【請求項６】
仮掛架用フックは、ネット本体の開口端縁部、仕切ネット片の端縁部それぞれに連繋する連繋部、浮き子に固着する固着部を有し、連繋部から固着部に至るに伴い次第に幅広に形成してある請求項１乃至５のいずれか記載の洗濯物損傷防止用ネット具。
【発明の詳細な説明】
【技術分野】
【０００１】
本発明は、洗濯機による洗濯中に、洗濯槽内に投入した洗濯物が回転する洗濯槽自体の周壁、洗濯槽底部等に対しての接触摩擦を和らげると共に、洗濯物同士が互いに絡み付かないようにして洗濯物の摩耗、損傷等を防止できるようにした洗濯物損傷防止用ネット具に関するものである。
【背景技術】
【０００２】
従来から、この種のネット具としては、ファスナーで開閉可能な開口を有する網袋状となって形成されており、このネット具の内部に洗濯水流によって痛みやすい洗濯物、例えばセーター、ワイシャツ、ストッキング、ランジェリー等の下着等を収容し、ファスナーを閉めてから網袋状の状態のまま洗濯機の洗濯槽内に入れて洗濯するのであった。
【特許文献１】実開平５−９４７８号公報
【発明の開示】
【発明が解決しようとする課題】
【０００３】
しかしながら、上記した従来のネット具では、ネット具自体が比較的に小型に形成されていて、そのサイズが限定されていることで、ズボンやセーター等の比較的に大型の洗濯物は、袋状のネット具には少量しか収容できず、洗濯量が多い場合には複数のネット具を使用するか、個別に複数回に分けて洗濯するかを選択しなければならない。そればかりでなく、ネット具内への収容、ネット具からの取り出し等に際しファスナーを開閉するという面倒な操作を必要とし、その取り扱いは簡便ではない。またネット具内に収容していない洗濯物は、洗濯中の洗濯回転水流の勢いによって洗濯中に洗濯物同士が互いに捻り合って絡み付いたり、洗濯槽自体の周壁、洗濯槽底部にある水流回転底板等との直接接触による摩擦で摩耗し、損傷される虞がある等の問題点を有していた。
【０００４】
そこで本発明は叙上のような従来存した諸事情に鑑み創出されたもので、ネット具内に収容することで、洗濯物が洗濯槽自体の周壁、水流回転底板等との直接接触による摩擦等に起因する摩耗、損傷等の発生を防止すると共に、洗濯物同士が絡みつかずに常時分離した状態で洗濯できることで、洗濯時の汚染除去効率を向上させ、また洗濯終了後ではネット具自体の端縁を摘んで洗濯槽内から引き上げるだけでネット具と洗濯物とを分離でき、取り扱いが容易となる洗濯物損傷防止用ネット具を提供することを目的とする。
【課題を解決するための手段】
【０００５】
上述した課題を解決するため、本発明にあっては、網筒状のネット本体１と、該ネット本体１の筒内部を複数の洗濯物収納室５Ａ，５Ｂ…に仕切って区画するようネット本体１の筒状の長手方向に沿って配した網帯状の仕切ネット片２と、ネット本体１の両開口端縁部、仕切ネット片２の両端縁部それぞれの複数箇所に付設された浮き子３とを備えて成ることを特徴とする。
ネット本体１は、洗濯機の洗濯槽Ｐの深さの略２倍程度の長さで、洗濯槽Ｐの開口径に比しやや大きい開口径を有する筒状に形成してあるものとして構成できる。
洗濯物収納室５Ａ，５Ｂ…の少なくとも一つは、他の洗濯物収納室５Ａ，５Ｂ…を形成するネット本体１の一部、仕切ネット片２それぞれの網目大きさに比し小さい網目大きさを備えているものとできる。
浮き子３は、ネット本体１、仕切ネット片２それぞれに着脱自在に取り付けることができ、また、浮き子３には、洗濯機の洗濯槽Ｐの開口縁にネット本体１を着脱自在に掛架させる仮掛架用フック４を付設することができる。
仮掛架用フック４は、ネット本体１の開口端縁部、仕切ネット片２の端縁部それぞれに連繋する連繋部４Ａ、浮き子３に固着する固着部４Ｂを有し、連繋部４Ａから固着部４Ｂに至るに伴い次第に幅広に形成することができる。
【０００６】
以上のように構成された本発明に係る洗濯物損傷防止用ネット具にあって、仕切ネット片２は、ネット本体１に収容される複数の洗濯物Ｑ同士を互いに分離させる。また、浮き子３は、洗濯中の洗濯水面上に浮かび上がり、ネット本体１の両端開口側を洗濯槽Ｐの中で互いに浮上可能にさせ、洗濯機の洗濯槽Ｐ深さの略２倍程度の長さを備えたネット本体１を洗濯槽Ｐ内でほぼ二つ折り状にさせ、洗濯水流によって洗濯物Ｑを洗濯させ、また回転する洗濯水流によっても洗濯物Ｑを外部に飛び出させない。
また、ネット本体１は、洗濯槽Ｐの洗濯水流中でネット本体１全体を略Ｕ字状の姿勢を維持しながら洗濯槽Ｐ内で回転し、洗濯物収納室５Ａ，５Ｂ…内それぞれに収容した洗濯物Ｑを洗濯させ、洗濯槽Ｐの周壁、底部壁、水流回転板等との直接接触を阻止し、洗濯物Ｑの摩耗、損傷等を防止させる。
さらに、浮き子３に付設された仮掛架用フック４は、ネット本体１の一端開口側を洗濯機の洗濯槽Ｐ縁部に一時的に仮掛架可能にさせ、この掛架状態では洗濯物収納室５Ａ，５Ｂ…それぞれを大きく開放状態に維持することで、洗濯物収納室５Ａ，５Ｂ…それぞれに対して複数種の洗濯物Ｑを区分け投入させる。
洗濯物収納室５Ａ，５Ｂ…それぞれに対しての洗濯物Ｑの区分け投入に際し、洗濯槽Ｐのほぼ２倍の長さのネット本体１は、その下半部が折り込み状となって洗濯物収納室５Ａ，５Ｂ…それぞれに投入の洗濯物Ｑを確実に分離させ、互いに絡ませない。
網目大きさが小さい洗濯物収納室５Ａは、この洗濯物収納室５Ａに収容した洗濯物Ｑに対して、他の洗濯物収納室５Ｂ…に投入の洗濯物Ｑから生じる糸屑その他の夾雑物の付着を防止させる。
仮掛架用フック４はネット本体１の洗濯槽Ｐの開口縁に対する仮掛架あるいはそれからの取り外しを簡単にさせ、連繋部４Ａから固着部４Ｂに至る幅広形成で、ネット本体１、仕切ネット片４更には洗濯物Ｑ等と接触することがあってもこれらを損傷させない。
【発明の効果】
【０００７】
以上説明したような本発明によれば、ネット本体１における洗濯物収納室５Ａ，５Ｂ…内それぞれに収容した洗濯中の洗濯物Ｑは回転水流等によっても洗濯槽Ｐ自体の周壁、底部壁等に直接に接触せず、洗濯収納室５Ａ，５Ｂ…内それぞれの洗濯物Ｑは互いに絡まず、常時分離したした状態で洗濯でき、洗濯物Ｑの摩耗、損傷等が防止できる。また、仮掛架用フック４による洗濯物収納室５Ａ，５Ｂ…それぞれの開口状態の維持時での洗濯物Ｑの区分け投入、洗濯終了後でのネット本体１の引き上げによる洗濯物Ｑとの自動分離での洗濯物Ｑの取り出し等を容易にすることができる。
【０００８】
すなわちこれは本発明が、網筒状のネット本体１と、該ネット本体１の筒内部を複数の洗濯物収納室５Ａ，５Ｂ…に仕切って区画するようネット本体１の筒状の長手方向に沿って配した網帯状の仕切ネット片２と、ネット本体１の両開口端縁部、仕切ネット片２の両端縁部それぞれの複数箇所に付設された浮き子３とを備えて成るからであり、これにより、ネット本体１の洗濯物収納室５Ａ，５Ｂ…内それぞれへの区分けした洗濯物Ｑの投入収容、洗濯槽Ｐの周壁、底部壁等との直接の接触がないことでの洗濯物Ｑの摩耗、損傷の防止、洗濯物Ｑのから絡み防止、洗濯物収納室５Ａ，５Ｂ…内それぞれへの洗濯物Ｑの区分け投入、洗濯後の取り出し時等に存する作業の簡便性、洗濯水中に存する夾雑物の付着防止等を図ることができる。しかも、浮き子３は、洗濯中、ネット本体１の両端開口側を洗濯槽Ｐの中で互いに浮上させ、ネット具全体が二つ折りのＵ状を呈することで洗濯物Ｑが洗濯槽Ｐ中に飛び出し、逸脱してしまうのを防止することができる。
【０００９】
また、ネット本体１は、洗濯機の洗濯槽Ｐの深さの略２倍程度の長さを有するので、ネット本体１の両開口端縁に浮き子３が取り付けられていることと相俟ち、洗濯槽Ｐの回転水流中でネット本体１全体を略Ｕ字状の姿勢を維持しながら渦巻き状に回転させることができ、これによってネット本体１内部の洗濯物Ｑを確実且つスムーズに洗濯することができる。
【００１０】
浮き子３には、洗濯機の洗濯槽Ｐ縁部に着脱自在に掛架させる仮掛架用フック４が付設され、また、ネット本体１自体の開口径が洗濯槽Ｐの開口径に比しやや大きくなっていることで、仮掛架用フック４によってネット本体１の開口部分を開口状態で洗濯槽Ｐの開口縁に掛架でき、この状態では大きく開口された洗濯物収納室５Ａ，５Ｂ…内それぞれへの洗濯物Ｑの区分け収容を簡単に行うことができる。このとき、ネット本体１自体は洗濯槽Ｐの深さの略２倍程度の長さがあるから、その下半分等は折り込み状になっていることで、洗濯物収納室５Ａ，５Ｂ…内それぞれに区分け投入した洗濯物Ｑそれぞれがその区分けを無視して纏まることもない。また、洗濯終了後ではネット本体１の開口縁を摘み引き上げることで洗濯物Ｑを洗濯槽Ｐ内に残した儘までネット具のみを取り出すことができ、従来のようにファスナーによる開閉操作が不要となり、取り扱いが簡単である。
【００１１】
少なくとも一つの洗濯物収納室５Ａは、他の洗濯物収納室５Ｂ…における網目大きさに比し小さくしてあるので、この洗濯物収納室５Ａに収容した洗濯物Ｑは、他の洗濯物収納室５Ｂ…に投入の洗濯物Ｑから生じる糸屑その他の夾雑物が洗濯水中に浮遊していても、これらが付着されることはなく、洗濯物Ｑの取り扱いを容易にすることができる。
【００１２】
仮掛架用フック４は、ネット本体１の開口端縁部、仕切ネット片２の端縁部それぞれに連繋する連繋部４Ａ、浮き子３に固着する固着部４Ｂを有し、連繋部４Ａから固着部４Ｂに至るに伴い次第に幅広に形成してあるので、ネット本体１の洗濯槽Ｐの開口縁に対する仮掛架あるいはそれからの取り外しを簡単にさせるばかりでなく、洗濯水流による回転中、また洗濯水の注水に伴う浮き上りに際し、ネット本体１、仕切ネット片４更には洗濯物Ｑ等と接触することがあってもこれらを損傷させないのである。
【００１３】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１４】
以下図面を参照して本発明を実施するための最良の一形態を説明すると、図において示される符号１は、洗濯機の洗濯槽Ｐの深さの略２倍程度の長さを有する例えば合成繊維部材等を紐状に形成したものを、両端が開口状態にある網筒状に編成して成るネット本体であり、該ネット本体１は、図１に示すように、筒状の長手方向に沿って筒内部を例えば左右の２室に仕切って区画するように略半円筒状の２つの洗濯物収納室５Ａ，５Ｂを形成するための仕切ネット片２を備えている。
【００１５】
すなわち、合成繊維部材を網帯状に編成して成るほぼ長方形状の仕切ネット片２の長手方向に沿った左右両側縁を、ネット本体１の内周壁面で一端開口部から他端開口部にかけてそれぞれ縫着してある。このとき仕切ネット片２の左右両側縁は、仕切ネット片２自体の横幅員がネット本体１内側において若干余裕を持たせた状態となるようにネット本体１の内壁面に取り付けられている。
【００１６】
また、ネット本体１の開口径は、洗濯槽Ｐにおける開口径の幅員に比しやや大きく形成されていて、後述する複数の仮掛架用フック４によってネット本体１の開口縁が洗濯槽Ｐの開口縁に掛架されたとき、ネット本体１自体の開口部分がが十分な開口状態となるようにしてある。
【００１７】
ネット本体１の両開口端縁部すなわち図１に示すように縦筒状に配したときにはその上下両端の開口縁、仕切ネット片２の両端縁部すなわち図１に示すように縦筒状に配したときにはその上下両端縁それぞれには、複数箇所で互いに必要があれば等間隔となるように、例えばエアーボール、木片等の浮き子３が例えば縛着・接着・係止等の固定方法によって着脱自在に取り付けられている。この浮き子３のネット本体１、仕切ネット片２それぞれに対する取り付けは、この浮き子３それぞれに付設した仮掛架用フック４によるものとし、仮掛架用フック４自体は、ネット本体１の開口端縁部、仕切ネット片２の端縁部それぞれに連繋するフック状の連繋部４Ａ、浮き子３に固着する固着部４Ｂを有し、連繋部４Ａから固着部４Ｂに至るに伴い次第に幅広に形成してある。すなわち図４に示すように、連繋部４Ａのフック部分で例えばネット本体１の開口縁、仕切ネット片２の端縁それぞれに編み込んである周縁紐材に引っ掛け固定することでネット本体１、仕切ネット片２それぞれに一体化してあり、そして、幅広となる浮き子３との固着部分で洗濯槽Ｐの開口縁を挟み込むようにすることで掛架するものとなっている。尚、固着部４Ｂ自体は、外方へ向けて先端側が、洗濯物Ｑを引っ掛けて傷付けない程度に例えば若干湾曲状に突出するような状態で付設されている。
【００１８】
図３にはネット本体１の筒内部を複数に仕切るための仕切ネット片２の他の具体例が示されており、例えばネット本体１の筒内部を平面から見て中央から１２０度間隔に分岐させて成る仕切ネット片２によって仕切って鈍角扇形状の３つの洗濯物収納室５Ａ，５Ｂ，５Ｃとして形成してあったり（図３（ａ）参照）、筒内部を平面から見て中央から９０度間隔に分岐させて成る仕切ネット片２によって区画するよう仕切って直角扇形状の４つの洗濯物収納室５Ａ，５Ｂ，５Ｃ，５Ｄとして形成してあったり（図３（ｂ）参照）、２つの仕切ネット片２のそれぞれの一側縁をネット本体１のある特定の円周位置で接合固定させ、他側縁それぞれを離反させた状態で他の円周位置に接続させることで筒内部で円周角を張るように仕切った３つの洗濯物収納室５Ａ，５Ｂ，５Ｃとして形成してあったり（図３（ｃ）参照）等しても良い。
【００１９】
次に、以上のように構成された最良の形態についての使用・動作の一例を説明するに、図２（ａ）に示すように、先ず、ネット本体１のいずれか一方の開口縁における浮き子３に設けられている仮掛架用フック４を洗濯槽Ｐの開口縁周囲に仮掛架させ、ネット本体１の他方の開口縁側をそのまま洗濯槽Ｐの底部に折り込ませておく。このときネット本体１の開口縁は、それぞれの洗濯物収納室５Ａ，５Ｂ…が開放状態となっており、その開放されている洗濯物収納室５Ａ，５Ｂ…それぞれに洗濯物Ｑを区分けして投入する。尚、投入に際し、網目大きさが細かく形成されている洗濯物収納室５Ａにはランジェリー、ストッキング等の痛みやすいものを投入するようにする。洗濯物Ｑの投入後では掛架用フック４を洗濯槽Ｐ開口縁から取り外し、そのまま洗濯槽Ｐ底部に落下させる。この落下によっても洗濯物収納室５Ａ，５Ｂ…内に投入した洗濯物Ｑそれぞれが混同することはないのである。
【００２０】
そして洗濯水が注入され、十分に満たされ、また洗濯機が作動すなわち洗濯槽Ｐの回転あるいは水流回転底板が回転されると、ネット本体１の両開口縁、仕切ネット片２それぞれに取り付けられた浮き子３がその浮力によって洗濯水の水面上に浮き上がり、ネット具全体１全体が二つ折りされた略Ｕ字状となり、その姿勢を維持しながら水中で捩れ回転して洗濯物Ｑを洗濯するのである。
【００２１】
このようにネット本体１の仕切ネット片２を介しての各洗濯物収納室５Ａ，５Ｂ…内に投入した洗濯物Ｑは互いに分離した状態となり、洗濯中に洗濯物Ｑ同士がネット本体１内部で互いに絡み付くこともなく、しかも浮き子３は、洗濯中、ネット本体１の両端開口側を洗濯槽Ｐの中で互いに浮上させているため、洗濯槽Ｐ内の回転水流の勢いによってネット本体１内の洗濯物Ｑが洗濯槽Ｐ中に飛び出し、逸脱してしまうことがないのである。
【００２２】
洗濯の終了後では、浮き上がっているネット本体１の両開口縁のいずれか一方を摘み上げて、洗濯槽Ｐ外に取り出せば良く、その取り出しによって洗濯物Ｑは洗濯槽Ｐ内にその儘取り残されているから順次に洗濯物Ｑを洗濯槽Ｐ外に取り出すのである。
【図面の簡単な説明】
【００２３】
【図１】本発明を実施するための最良の形態を示す全体斜視図である。
【図２】同じく使用状態を示し、（ａ）は洗濯槽に仮掛架させたネット本体の一端開口側から洗濯物収納室内に洗濯物を収容する状態を示す洗濯槽全体の概略断面図、（ｂ）は洗濯中のネット本体が浮き子によって二つ折り状に浮上した状態を示す洗濯槽全体の概略断面図、（ｃ）は洗濯槽内の回転水流によってネット本体全体が略Ｕ字状の姿勢を維持しながら捩れ回転している状態を示す洗濯槽全体の概略断面図である。
【図３】同じくネット本体の筒内部を複数に仕切る仕切ネット片の他の具体例を示すもので、（ａ）は仕切ネット片により１２０度間隔に仕切って３つの洗濯物収納室を形成した場合の平面図、（ｂ）は仕切ネット片により９０度間隔に仕切って４つの洗濯物収納室を形成した場合の平面図、（ｃ）は２つの仕切ネット片により円周角を張るように仕切って３つの洗濯物収納室を形成した場合の平面図である。
【図４】同じくネット本体の開口縁における掛架用フックの斜視図である。
【符号の説明】
【００２４】
Ｐ…洗濯槽                              Ｑ…洗濯物
１…ネット本体                          ２…仕切ネット片
３…浮き子                              ４…仮掛架用フック
４Ａ…連繋部                            ４Ｂ…固着部
５Ａ，５Ｂ，５Ｃ，５Ｄ…洗濯物収納室
【図１】
2005230396.tif 000003
【図２】
2005230396.tif 000004
【図３】
2005230396.tif 000005
【図４】
2005230396.tif 000006